(57)【特許請求の範囲】
【請求項１】
上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すメダル投下形プッシャマシンにおいて、
前記遊技盤の基板に貫通孔を設け、前記貫通孔に入ったメダルを遊技盤の裏面に落下させるようにし、
前記メダル押動板の下部に回収孔を設けておき、前記メダル押動板が前方に移動しているときに前記遊技板の裏面に落下したメダルは直接回収孔に収容し、
前記メダル押動板が後方に移動したときに落下して前記メダル押動板に載ったメダルは、前記メダル押動板が前方に移動することにより前記回収孔に回収するように構成したことを特徴とするメダル投下形プッシャマシンのメダル回収機構。
【請求項２】
前記遊技盤の基板の貫通孔は、前記メダル流入機構に設けたことを特徴とする請求項１記載のメダル投下形プッシャマシンのメダル回収機構。
【発明の詳細な説明】
【０００１】
【発明の属する技術分野】
本発明は、メダル投下形プッシャマシンのメダル回収機構、さらに詳しくいえば、遊技盤の裏面に落下させられたメダルを回収するための機構に関する。
【０００２】
【発明が解決しようとする課題】
まず、図４，図５および図６を用いてメダル投下形プッシャマシンの構造および遊技の方法について説明する。
図４は、メダル投下形プッシャマシンの遊技盤面を取り出した斜視図、図５は遊技盤面の裏面側の斜視図である。
基板３５の前に透明板３６が配置され、基板３５の上部に設けられた２個のメダルガイド３７，３８から遊技者によって投入されるメダルが基板３５と透明板３６の間を落下するようになっている。
【０００３】
基板３５の中央の左右にはオープンチェッカ４２，４３が設けられ、メダルの通過を検知すると基板３５の中央に設けられているメダル通過チェッカ４０を開くようになっている。遊技者はメダルガイド３８よりメダルをオープンチェッカ４２，４３を狙って投入することとなる。
オープンチェッカ４２，４３をメダルが通過すると数秒間だけメダル通過チェッカ４０のウイング機構４ａが開き、メダルがメダル通過チェッカ４０に入り易くなる。
【０００４】
メダルがメダル通過チェッカ４０を通過すると、基板３５の中央上部に設けられているスロットリール用ディスプレイ装置３９の液晶モニタ上に表示されている３リールスロットがスタートし、一定時間経過後に左→右→中央の順で停止する。スロットの絵柄の出方によって入賞判定が行われる。入賞内容は例えば、所定の絵柄が揃えば、メダルを所定枚数フィールド（メタル押動板３３）に払い戻しする。また、ラッキー賞になると、所定の時間、基板３５の中央下部に設けたメダル流入機構４１のメダル捕捉板４７が図６に示すように前面に開口する。
投入されたメダルはピンハネ部４４，４５などで跳ね返されてメダルの多くはメダル流入機構４１に流入し、メダル流入毎に規定枚数のメダルがフィールドに払い戻される。
【０００５】
ラッキー賞になると同時に液晶モニタにストーリが表示され１ラウンド分のストーリが進行する。そして、所定のラウンドまでストーリが進行すると、特別入賞となり、メダル押動板３３の側部に設けられている図示しないメダル搭載ケースより多数のメダルがフィールドに払い戻される。
メダル押動板３３とメダル受け盤３２に多数のメダルが溜まっており、メダル押動板３３が矢印に示す方向に移動することにより、新たに払い出されたメダルにより他のメダルが押され、メダル受け盤３２に落ち、さらにメダル受け盤３２で他のメダルが押されて遊技者の元に払い出される。
なお、図５における３９ａはスロットリール用ディスプレイ装置３９の裏面側を，４２ａ，４３ａはオープンチェッカ４２，４３の裏面側を，４４ａ，４５ａはピンハネ部４４，４５の裏面側をそれぞれ示す。
【０００６】
上記遊技盤において、例えば、メダル流入機構４１は、メダル捕捉板４７で受けたメダルは基板３５の裏側に導くような構成にする必要がある。
この場合、遊技盤の裏面の下部に落ちるメダルを回収しなければならない。
従来のプッシャ機では、遊技盤面をメダルが落下していき遊技盤の裏面にメダルが誘導されることはない。
本発明の課題は、遊技盤の貫通孔より裏面に誘導されたメダルを簡単な構成で回収孔に回収しホッパーに戻すことができるメダル投下形プッシャマシンのメダル回収機構を提供することにある。
【０００７】
【課題を解決するための手段】
前記課題を解決するために本発明によるメダル投下形プッシャマシンのメダル回収機構は、上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すメダル投下形プッシャマシンにおいて、
前記遊技盤の基板に貫通孔を設け、前記貫通孔に入ったメダルを遊技盤の裏面に落下させるようにし、
前記メダル押動板の下部に回収孔を設けておき、前記メダル押動板が前方に移動しているときに前記遊技板の裏面に落下したメダルは直接回収孔に収容し、
前記メダル押動板が後方に移動したときに落下して前記メダル押動板に載ったメダルは、前記メダル押動板が前方に移動することにより前記回収孔に回収するように構成してある。
【０００８】
上記構成によれば、メダル投下形プッシャマシンにおいて遊技盤の裏面に誘導されたメダルを簡単な機構で回収することができる。
【０００９】
【発明の実施の形態】
以下、図面を参照して本発明の実施の形態を詳しく説明する。
図１は、本発明によるメダル回収機構を適用したメダル投下形プッシャマシンの実施の形態を示す図で、（ａ）は正面図，（ｂ）は側面図である。
メダル投入型プッシャマシン７は２台の縦形遊技盤１より構成されている。縦形遊技盤１の上部にはスピーカ６が設けられている。メダル投入口２よりメダルを投入すると縦型遊技盤１の基板と透明板の間を落下して行く。
【００１０】
縦型遊技盤の下側前面には、縦型遊技盤１に投入されたメダルによってフィールドに払い出され、さらにフィールドから押し出されたメダルを遊技者に払い出しするためのコインカップ５が設けられている。
メンテナンスのために前面の透明ドア４と、側面のメダル補充用透明ドア３とが開閉可能になっている。
２台の縦型遊技盤１は垂直にメダル投入型プッシャマシン７の筐体基部に取り付けられている。
【００１１】
図２は、本発明によるメダル回収機構の実施の形態を示す図で、メダル回収機構に注目して示した斜視図である。
縦形遊技盤１の基板１１には貫通孔１１ａが設けられている。この孔は、この実施の形態ではメダル流入機構に設けたものである。貫通孔１１ａは基板１１の他の部分に設けても良い。
メダル押動板８の下部にはメダルを回収するための回収孔１０が設けられている。
メダル押動板８は前後に移動を繰り返している。
【００１２】
図３は、図２のメダル回収機構の動作を説明するための図で、（ａ）はメダル押動板が後方に移動した状態を、（ｂ）はメダル押動板が前方に移動した状態を示す側面断面図である。
透明板１４と基板１１の隙間１２を落下し、貫通孔１１ａを通過したメダル９は、メダル押動板８が後方に移動している場合には（ａ）に示すようにメダル押動板８の上に落下し乗ることとなる。
一方、メダル押動板８が前方に移動している場合にはメダル９はそのまま回収孔１０へ落下し図示しないホッパーへ回収される。
【００１３】
（ａ）のようにメダル押動板８の上に乗ったメダル９は、つぎにメダル押動板８が（ｂ）に示すように前方に移動するため、基板１１の後面で押され、回収孔１０に落下する。
メダル押動板８の前後の移動を利用して基板１１の裏面に落下したメダルを回収孔に落下させるため、基板１１の裏面下部に落下したメダルを特別な移動機構を設けて搬送する必要はない。
【００１４】
【発明の効果】
以上、説明したように本発明は、上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すメダル投下形プッシャマシンにおいて、遊技盤の基板に貫通孔を設け、貫通孔に入ったメダルを遊技盤の裏面に落下させるようにし、メダル押動板の下部に回収孔を設けておき、メダル押動板が前方に移動しているときに遊技板の裏面に落下したメダルは直接回収孔に収容し、メダル押動板が後方に移動したときに落下してメダル押動板に載ったメダルは、メダル押動板が前方に移動することにより回収孔に回収するように構成したものである。したがって、遊技盤の貫通孔より裏面に誘導されたメダルを簡単な構成で回収孔に回収できるという効果がある。
【図面の簡単な説明】
【図１】本発明によるメダル回収機構を適用したメダル投下形プッシャマシンの実施の形態を示す図で、（ａ）は正面図，（ｂ）は側面図である。
【図２】本発明によるメダル回収機構の実施の形態を示す図で、メダル回収機構に注目して示した斜視図である。
【図３】図２のメダル回収機構の動作を説明するための図で、（ａ）はメダル押動板が後方に移動した状態を、（ｂ）はメダル押動板が前方に移動した状態を示す側面断面図である。
【図４】メダル投下形プッシャマシンの遊技盤面を取り出して示した斜視図である。
【図５】遊技盤面の裏面側の斜視図である。
【図６】メダル流入機構の外観を示す斜視図である。
【符号の説明】
１…縦形遊技盤
２…メダル投入口
３…メダル補充用側面透明ドア
４…前面透明ドア
５…コインカップ
６…スピーカ
７…メダル投入形プッシャマシン
８…メダル押動板
９…メダル
１０…回収孔
１１…基板
１２…隙間
１３…制限板
１４…透明板
【図１】
0003736930.tif 000002
【図２】
0003736930.tif 000003
【図３】
0003736930.tif 000004
【図４】
0003736930.tif 000005
【図５】
0003736930.tif 000006
【図６】
0003736930.tif 000007